(57)【要約】      （修正有）【課題】サイズの多少異なる複数の買い物かごに適用させて使用することができ、また、携帯性に優れた多機能型の買い物用バッグを提供する。【解決手段】全体が折り畳み変形自在な薄い布またはシートからなる買い物用バッグであって、有底の袋本体１の側周部５に手提げ帯１２を取り付けるとともに、袋本体１の上端開口縁１ａに鍔状布２を取付けてなり、この鍔状布２は袋本体１を買い物かご５０の中に配置してかご周縁に被せることのできる大きさであり、袋本体１は、外袋３と内袋４とからなる二重構造であって、袋本体１の側周部５の一部に外袋３と内袋４との間を止着して上端が開口する内ポケット９，１０を形成し、内ポケット９の上端縁に外付けポケット１３を取り付けた。【選択図】図１
0003111603.tif 000002
【実用新案登録請求の範囲】
【請求項１】
全体が折り畳み変形自在な薄い布またはシートからなる買い物用バッグにおいて、有底の袋本体の側周部に手提げ帯を取り付けるとともに、袋本体の上端開口縁に鍔状布を取付けてなり、この鍔状布は袋本体を買い物かごの中に配置してかご周縁に被せることのできる大きさであり、袋本体は、外袋と内袋とからなる二重構造であって、袋本体の側周部の一部に外袋と内袋との間を止着して上端が開口する内ポケットを１個または複数個形成したことを特徴とする買い物用バッグ。
【請求項２】
鍔状布の外周縁に伸縮自在なゴム紐を取付けてなることを特徴とする請求項１記載の買い物用バッグ。
【請求項３】
手提げ帯の取付け位置を内ポケットの両側縁に跨る位置としたことを特徴とする請求項１または請求項２記載の買い物用バッグ。
【請求項４】
内ポケットの上端縁に、同内ポケット内に折り返し可能で、同内ポケットよりも容積の小さい外付けポケットを止着したことを特徴とする請求項１ないし請求項３記載の買い物用バッグ。
【請求項５】
袋本体の内袋と鍔状布とを互いに異なる色としたことを特徴とする請求項１ないし請求項４記載の買い物用バッグ。
【請求項６】
袋本体の内袋と鍔状布のうち、いずれか一方を暖色系、他方を寒色系としたことを特徴とする請求項１ないし請求項５記載の買い物用バッグ。
【考案の詳細な説明】
【技術分野】
【０００１】
本考案は、スーパーストアなど商店の買い物かごの内側形状に合わせた形状にすることができ、レジスターを通った精算済みの商品をビニール袋などに入れ替えることなく、そのまま持ち帰ることができる買い物用バッグに関し、携帯性に優れた多機能型の、しかも耐久性にも優れた買い物用バッグに関する。
【背景技術】
【０００２】
一般にスーパーマーケットで買い物をする場合、買い物客は、お店に用意してあるプラスチック製の比較的大きい買い物かごに、購入する商品を次々に入れ、最後に店内のレジスターで精算を行う。精算時、係員が、買い物かごに入った商品を１個ずつ取出し、キャッシュレジスタを操作して金額を入力し、別なかごに移す。精算後、係員はビニール袋を提供し、買い物客は別のテーブルで、精算済みの商品をかごからビニール袋に移し、空のかごは所定の場所へ返却する。
【０００３】
買い物客が精算済みの商品をかごからビニール袋へ移し替える手間を省けるようにした買い物用バッグが知られている（特許文献１参照）。
【０００４】
【特許文献１】特開２００１−８７０２２号公報
【考案の開示】
【考案が解決しようとする課題】
【０００５】
しかしながら、このような買い物用バッグは、便利であるが、店内用の買い物かごの大きさに合わせて作られており、サイズの異なる他の買い物かごには合わせにくく使いにくい面があった。また、買い物かごの大きさに合わせて大きく作られているため、お店に持参するには小さく畳むことができず、かさばるので、不便な面があった。また、その大きさから、その他の用途には必ずしも使いやすいとは言えなかった。
【０００６】
本考案は上記問題点に鑑みてなされたもので、サイズが多少異なる複数の買い物かごに適用させて使用することができる買い物用バッグを提供することを目的とする。
【０００７】
また、携帯性に優れた多機能型の、しかも耐久性にも優れた買い物用バッグを提供することを目的とする。
【０００８】
さらに、視覚的に係員が買い物かごから精算済みの商品を入れ替えしやすくした買い物用バッグを提供することを目的とする。
【課題を解決するための手段】
【０００９】
上記課題を解決するために、本考案の請求項１に係る買い物用バッグは、全体が折り畳み変形自在な薄い布またはシートからなる買い物用バッグにおいて、有底の袋本体の側周部に手提げ帯を取り付けるとともに、袋本体の上端開口縁に鍔状布を取付けてなり、この鍔状布は袋本体を買い物かごの中に配置してかご周縁に被せることのできる大きさであり、袋本体は、外袋と内袋とからなる二重構造であって、袋本体の側周部の一部に外袋と内袋との間を止着して上端が開口する内ポケットを１個または複数個形成したことを特徴とする。
【００１０】
袋本体の上端開口縁に取り付けた鍔状布が袋本体から買い物かごの周縁まで橋渡しの役割をするので、袋本体の大きさが買い物かごの大きさよりも小さい場合であっても、買い物かごの内側に袋本体を立体形状に配置することができる。したがって、サイズの異なる複数の買い物かごに適用させて使用することができる。
【００１１】
内ポケットを裏返して、袋本体および鍔状布を内ポケットの上端開口から内側に全部押し込んで収容すると、袋本体よりもサイズの小さいバッグとなる。
【００１２】
内ポケットを複数個形成すると、内ポケットの大きさを変えることで、サイズの異なる複数種類のバッグに変えることができる。
【００１３】
お店に持参するとき等、小物入れに適したサイズのバッグに変身させることができる。携帯性に優れ、多機能型のバッグを実現することができる。
【００１４】
袋本体は、外袋と内袋の二重構造からなり、耐久性に優れる。
【００１５】
袋本体の外袋と内袋の二重構造を利用して内ポケットを形成するので、製作が簡素なものとなる。
【００１６】
本考案の請求項２に係る買い物用バッグは、鍔状布の外周縁に伸縮自在なゴム紐を取付けてなることを特徴とする。
【００１７】
鍔状布の外周縁に伸縮自在なゴム紐を取付けたから、鍔状布を買い物かごに引っ掛けやすくなる。
【００１８】
本考案の請求項３に係る買い物用バッグは、手提げ帯の取付け位置を内ポケットの両側縁に跨る位置としたことを特徴とする。
【００１９】
内ポケットの両側縁に跨る袋本体の手提げ帯はそのままサイズを小さくしたバッグの手提げまたは肩掛けの帯に兼用することができる。
【００２０】
本考案の請求項４に係る買い物用バッグは、前記内ポケットの上端縁に、同内ポケット内に折り返し可能で、同内ポケットよりも容積の小さい外付けポケットを止着したことを特徴とする。
【００２１】
内ポケットを裏返して（引っくり返して）、内ポケットに袋本体と鍔状布を全部押し込んで収容し、袋本体よりサイズの小さいバッグとした状態から、これを更に小型の外付けポケットに押し込んでいくと、よりサイズの小さいバッグ（たとえばポーチタイプ）となる。
【００２２】
本考案の請求項４に係る買い物用バッグは、袋本体の内袋と鍔状布とを互いに異なる色としたことを特徴とする。
【００２３】
買い物かごの内側に袋本体を配置し、鍔状布を買い物かごの周縁に被せた状態で、袋本体の内袋と鍔状布とが互いに異なる色をしているから、袋本体の開口部の位置をレジスターの係員が視覚で認識しやすくなり、係員が買い物かごから精算済みの商品を別かごの袋本体内にスピーディーに入れ替え作業するのに大きく役立つ。
【００２４】
本考案の請求項５に係る買い物用バッグは、袋本体の内袋と鍔状布のうち、いずれか一方を暖色系、他方を寒色系としたことを特徴とする。
【００２５】
袋本体の内袋と鍔状布のうち、一方を暖色系、他方を寒色系とすることで、色による識別差を大きくすることができ、鍔状布を買い物かごの外側に被せた状態の、袋本体の開口部の位置がより判りやすくなる。  
【考案の効果】
【００２６】
以上説明したように、本考案の買い物用バッグによると、サイズが多少異なる複数の買い物かごに適用させて使用することができる効果を奏する。また、携帯性に優れ、多機能型で耐久性のある買い物用バッグを得ることができる。
【００２７】
さらに、袋本体の内袋と別布とを互いに異なる色とすることで、袋本体の開口部を係員が視覚で認識しやすく、係員が買い物かごから精算済みの商品を入れ替えしやすくなる効果を奏する。
【考案を実施するための最良の形態】
【００２８】
本考案を実施するための最良の形態を図１ないし図６を参照して説明する。図１および図２に示すように、本考案の買い物用バッグは、上面が開口する袋本体１と、袋本体１の開口縁１ａに取付けられた鍔状布２とから基本構成されている。
【００２９】
袋本体１は、全体が折り畳み変形自在な撥水性素材のシートからなり、その内容積は買い物かご５０の内容積の約３／４程度の大きさに設定されている。この袋本体１は、ともに撥水性素材のシートからなる外袋３と内袋４からなる二重構造によって、側周部５および底部６を形成している。
【００３０】
袋本体１の側周部５の、マチ部を除く両側面部７，８の一部には、それらのほぼ中央に位置する内ポケット９、１０が形成されている。正面視して、一方の内ポケット９は袋本体１の１／４程度の大きさとされ、他方の内ポケット１０は縦に長く袋本体１の１／２程度の大きさとされている。各内ポケット９、１０は、両側面部７，８の一部を図１に示すようにミシン糸によるミシン目１１で囲い、袋状にしたもので、上端縁を除く両側縁および下端縁の三箇所を外袋３および内袋４間で止着している。なお、各内ポケット９、１０はそれらの上端開口部から裏返し可能とされている。
【００３１】
各内ポケット９、１０の両側に跨るようにして、内ポケット９、１０のマチ部に当たる部分の両側面部７、８に、各高さ方向の全域にわたり、逆Ｕ字形の手提げ帯１２が取付けられている。各手提げ帯１２の手提げ部分１２ａは袋本体１の上端から上方に突出している。
【００３２】
内ポケット９の外袋３の上端縁には、正面視して、内ポケット９の１／２程度の大きさの外付けポケット１３が止着されている。この外付けポケット１３は、撥水性素材のシートからなり、上端を除く残りの両側縁および下端縁の三辺が閉じられて、袋状に形成されている。そして、図１に示すように、外付けポケット１３の表側には表ポケット部の口１３ａを開閉するファスナー１４が取付けられている。外付けポケット１３の裏側には裏ポケット部の口１３ｂが設けられている（図５参照）。
【００３３】
鍔状布２は、撥水性素材のシートからなり、蛇腹状に連続折り返してなるギャザー部分２ａが袋本体１の上端開口縁に沿って取り付けられている。この鍔状布２の大きさは、図３に示すように、袋本体１を買い物かご５０の内側に配置した状態で買い物かご５０の周縁に被せることができる大きさとされている。そして、鍔状布２の外周縁２ｂには紐通し孔１５が形成されており、この紐通し孔１５には環状の紐１６が２本通されるとともに、図示しない環状の伸縮性をもつゴム紐が環状に通されている。
【００３４】
袋本体１は、外袋３および内袋４がともに暖色系であるオレンジ色とされ、鍔状布２および手提げ帯１２は、いずれも寒色系であるカーキ色とされている。
【００３５】
撥水性素材としては、ポリエステル、ナイロンなどの合成繊維を適用することができる。素材となる繊維は撥水加工を施したものでよい。シート表面を撥水処理層で覆うようにしてもよい。また、防水性素材を適用してもよく、防水加工を施したものやシート表面を防水処理層で覆うようにしたものでもよい。
【００３６】
次ぎに、以上のように構成された買い物用バッグの使用方法を説明する。
【００３７】
係員がレジスターで買い物客から本考案の買い物用バッグを受け取り、図３に示すように、空の買い物かご５０に装着する。袋本体１を買い物かご５０の内側に配置し、鍔状布２を外側に折り返して紐通し孔１５内の図示しないゴム紐および鍔状布２の外周縁２ｂを買い物かご５０の周縁に引っ掛ければよい。これにより立体状の袋本体１が買い物かご５０の中央に配置される。
【００３８】
係員が精算済みの商品を袋本体１に入れ替え終わったら、別の場所に移動し、鍔状布２の２本の紐１６を外側へ引っ張って開口部を閉め、結着する。その後、買い物かご５０からバッグごと取り上げ、持ち帰る。
【００３９】
鍔状布２を袋本体１の内側に折り返せば、大型のバッグとして使用することができる。両内ポケット９、１０に小物を容れることができる。また、袋本体１の内側に折り返した外付けポケット１３にも小物を容れることができる。図２は外付けポケット１３を内ポケット９内に折り込んだ状態を示している。この状態で、内袋４側の面ファスナー１９ａと外袋５側の面ファスナー１９ｂを係合させると、内ポケット９の口を閉じることができる。
【００４０】
図２に示す状態から、内ポケット９の内底の金具１８を引っ張って、内ポケット９を裏返し（引っくり返し）、裏返し状態で袋本体１および鍔状布２を内側に押し込むと、図４に示す中サイズの手提げ付きバッグとなる。同様に、内ポケット１０についても裏返し、袋本体１および鍔状布を内側に押し込むと、異なる中サイズの手提げ付きバッグとなる。
【００４１】
さらに、図４に示す状態の中サイズのバッグから、外付きポケット１３を持ち上げて図５に示す状態とし、内ポケット９ごと、外付きポケット１３の裏ポケット部の口１３ｂから中に押し込めば、図６に示す小サイズのポーチタイプのバッグとなる。図４に示す小片１７の面ファスナー１７ａを、裏ポケット部の口１３ｂ側の面ファスナー１３ｃに係合させて、裏ポケット部の口１３ｂを閉じることができる。
【００４２】
紐通し孔１５に通す環状の紐１６は、伸縮性をもつ材質であってもよい。その場合、上記実施形態で示したゴム紐は不要となる。
【実施例】
【００４３】
本考案者は、ポリエステル繊維素材のシートから買い物用バッグを製作し、これを評価したところ、ポリエステル繊維素材であると、簡単に畳みやすく瞬時に小さくして中サイズのショルダバッグ、小サイズのポーチに変身させることができた。また、滑りやすく瞬時に広げて使える利点があることが分かった。評価に使用した買い物用バッグと買い物かごの大きさは次のとおりである。
【００４４】
買い物バッグの上面開口部の面積は約０．１平方メートル、買い物かごの上面開口部の面積は約０．１４平方メートル、買い物バッグの上面開口部と買い物かごの上面開口部の面積比は、約０．７１倍である。
【００４５】
中サイズのショルダバッグにした場合のサイズは、長さ×高さ×幅の各寸法が２０ｃｍ×２０ｃｍ×２ｃｍ、小サイズのポーチにした場合のサイズは、長さ×高さ×幅の各寸法が１８ｃｍ×１３ｃｍ×２ｃｍである。
【産業上の利用可能性】
【００４６】
本考案の買い物用バッグは、レジかごなどの買い物かご用、中サイズのショルダタイプ、小サイズのポーチタイプのバッグとして、幅広く利用することができる。
【図面の簡単な説明】
【００４７】
【図１】本考案の買い物用バッグの、鍔状布を外側に出した状態でかつ外付けポケットを外に出した状態を示す正面図、
【図２】同買い物用バッグの、鍔状布を内側に折り込んだ状態でかつ外付けポケットを内ポケットの中に入れた状態を示す図、
【図３】同買い物用バッグを買い物かごに装着した状態を示す図、
【図４】同買い物用バッグを中サイズのショルダタイプのバッグにした状態を示す図
【図５】図４に示すショルダタイプのバッグをそのまま外付けポケットを上げた状態を示す図、
【図６】図５に示す状態から本買い物用バッグを外付けポケット内に押し込んで、小サイズのポーチタイプのバッグにした状態を示す図である。
【符号の説明】
【００４８】
１  袋本体
１ａ  開口縁
２  鍔状布
２ａ  ギャザー部分
２ｂ  外周縁
３  外袋
４  内袋
５  側周部
６  底部
７，８  側面部
９，１０  内ポケット
１１  ミシン目
１２  手提げ帯
１２ａ  手提げ部分
１３  外付けポケット
１３ａ  表ポケット部の口
１３ｂ  裏ポケット部の口
１４  ファスナー
１５  紐通し孔
１６  紐
１７  小片
１３ｃ，１７ａ，１９ａ，１９ｂ  面ファスナー
１８  金具
５０  買い物かご
【図１】
0003111603.tif 000003
【図２】
0003111603.tif 000004
【図３】
0003111603.tif 000005
【図４】
0003111603.tif 000006
【図５】
0003111603.tif 000007
【図６】
0003111603.tif 000008